(57)【要約】  第１および第２の開口を有する周囲側壁を含む容器と、その容器内に配置された第１および第２のコード材料と、を備えるコード材料ディスペンサ。第１および第２のコード材料は、それぞれ第１および第２の開口を通して供給可能である。第１のコード材料は第１のスプールに巻き付けられることが好ましく、第２のコード材料は第２のスプールに巻き付けられることが好ましい。前記ディスペンサは、第１の量の第１のコード材料と第２の量の第２のコード材料とを含むことができ、第１の量は第２の量より少ない。例えば、第１の量は第２の量の４分の１とすることができる。容器は、第１の量と第２の量との比の指標であるしるしを含むことが好ましい。このしるしは、スプール巻き材料の使用目的を表すグラフィックの形をとることができる。【選択図】  図１
2012524001.tif 000002
【特許請求の範囲】
【請求項１】
第１の開口および第２の開口が貫通、形成された周囲側壁を含む容器と、
前記容器内に配置された第１のコード材料と、
前記容器内に配置された第２のコード材料と
を備えるコード材料ディスペンサであって、
前記第１のコード材料が前記第１の開口を通して供給可能であり、前記第２のコード材料が前記第２の開口を通して供給可能である、コード材料ディスペンサ。
【請求項２】
前記第１のコード材料の一端に取り付けられた第１の引きひもと、前記第２のコード材料の一端に取り付けられた第２の引きひもとを含み、前記第１の引きひもおよび前記第２の引きひものそれぞれが、対応の前記第１の開口および前記第２の開口を貫通して延びる、請求項１に記載のコード材料ディスペンサ。
【請求項３】
前記周囲側壁の外側に取着された小袋を具備し、前記小袋が複数のタグを収容する、請求項１に記載のコード材料ディスペンサ。
【請求項４】
前記第１のコード材料が第１のスプールに巻き付けられ、前記第２のコード材料が第２のスプールに巻き付けられる、請求項１に記載のコード材料ディスペンサ。
【請求項５】
少なくとも１つの隔壁を含むスプール支持挿入物を具備し、前記隔壁のそれぞれが溝を含む、請求項４に記載のコード材料ディスペンサ。
【請求項６】
前記第１のスプールおよび前記第２のスプールならびに前記溝を貫通して延びるスプール心棒を具備する、請求項５に記載のコード材料ディスペンサ。
【請求項７】
第１の量の前記第１のコード材料と、第２の量の前記第２のコード材料とを含み、前記第１の量が前記第２の量より少ない、請求項１に記載のコード材料ディスペンサ。
【請求項８】
前記容器が、前記第１の量と前記第２の量との比の指標であるしるしを含む、請求項７に記載のコード材料ディスペンサ。
【請求項９】
前記第１の量が、前記第２の量の４分の１である、請求項７に記載のコード材料ディスペンサ。
【請求項１０】
ベース部、前記ベースから延びる周囲側壁であり、第１の開口および第２の開口が貫通、形成された周囲側壁、および、前記周囲側壁から延びる複数のフラップを含む容器と、
第１のスプールに巻き付けられかつ前記容器内に配置された第１のパッキンコードと、
第２のスプールに巻き付けられかつ前記容器内に配置された第２のパッキンコードと
を備えるバルブステムパッキンセットであって、
前記第１のパッキンコードが前記第１の開口を通して供給可能であり、前記第２のパッキンコードが前記第２の開口を通して供給可能である、バルブステムパッキンセット。
【請求項１１】
前記第１のパッキンコードの一端に取り付けられた第１の引きひもと、前記第２のパッキンコードの一端に取り付けられた第２の引きひもとを含み、前記第１の引きひもおよび前記第２の引きひものそれぞれが、対応の前記第１の開口および前記第２の開口を貫通して延びる、請求項１０に記載のバルブステムパッキン・セット。
【請求項１２】
前記周囲側壁の外側に取着された小袋を具備し、前記小袋が複数のタグを収容する、請求項１０に記載のバルブステムパッキン・セット。
【請求項１３】
第１の量の前記第１のパッキンコードと第２の量の前記第２のパッキンコードとを含み、前記第１の量が前記第２の量より少ない、請求項１０に記載のバルブステムパッキン・セット。
【請求項１４】
前記容器が、前記第１の量と前記第２の量との比の指標であるしるしを含む、請求項１３に記載のバルブステムパッキン・セット。
【請求項１５】
前記第１の量が、前記第２の量の４分の１である、請求項１３に記載のバルブステムパッキン・セット。
【請求項１６】
複数の隔壁を含むスプール支持挿入物を具備し、前記隔壁のそれぞれが溝を含む、請求項１０に記載のバルブステムパッキン・セット。
【請求項１７】
前記第１のスプールおよび前記第２のスプールならびに前記溝を貫通して延びるスプール心棒を具備する、請求項１６に記載のバルブステムパッキン・セット。
【請求項１８】
ベース部、前記ベース部から延びる周囲側壁、および前記周囲側壁から延びる複数のフラップを備える容器であり、前記側壁が、該側壁を貫通して形成された複数の折れやすい目打ちのあるスターパターンを含む、容器と、
前記容器内に配置され、かつ複数の隔壁を含むスプール支持挿入物であり、各側壁が溝を含む、スプール支持挿入物と、
複数のスプール巻き材料を支持するために構成され、かつ前記溝を貫通して延びるスプール心棒と、
を備える、スプール巻き材料容器組立体。
【請求項１９】
前記容器が、前記容器に収容されるべき前記スプール巻き材料の指標であるしるしを含む、請求項１８に記載のスプール巻き材料容器組立体。
【請求項２０】
前記しるしが、前記スプール巻き材料の使用目的を表すグラフィックの形をとる、請求項１９に記載のスプール巻き材料容器組立体。
【発明の詳細な説明】
【関連出願の相互参照】
【０００１】
本願は、２００９年４月１７日に出願された米国仮特許出願第６１／１７０，４５３号明細書の利益を主張するものであり、その開示の全体が参照により本明細書に組み込まれるものとする。
【背景技術】
【０００２】
バルブステムパッキン（ｖａｌｖｅ  ｓｔｅｍ  ｐａｃｋｉｎｇ）がプロセス制御バルブ（ｐｒｏｃｅｓｓ  ｃｏｎｔｒｏｌ  ｖａｌｖｅｓ）に一般的に使用されている。従来、ステムパッキンを選択する基準は、単純に漏れと摩擦との間のバランスをとることであった。パッキン箱の漏れは、所望されないものではあったが、バルブの消費者が材料の損失に対するコストに意識的になり、バルブステムパッキンの漏れが汚染の一因になると認識するまでは、多くのプロセス産業にとってあまり重要な関心事ではなかった。ＥＰＡもまたステムパッキンの漏れが汚染の一因になると認識し、許容限度に対する基準を定めた。プロセス制御バルブの最大の消費者の多くもまた、漏れおよび摩擦の要件に対する独自の基準を定めた。
【０００３】
バルブステムパッキンの性能に対するこの新しい関心は、当業界が、十分に封止するとともに予測可能な性能を提供する低摩擦パッキンシステムを開発するきっかけになった。ステムパッキンのある開発では、異なるパッキン材料を組み合わせて使用し、それによってバルブパッキンの耐用期間の全体にわたって一定であり続ける高圧封止能力とともに弾力性を提供する。例えば、Ｇａｒｌｏｃｋ  Ｓｅａｌｉｎｇ  Ｔｅｃｈｎｏｌｏｇｉｅｓは、第２の編組パッキン材料で作られた４つのリングの間に置かれた柔軟で弾性のある第１の編組パッキン材料で作られた単一リングを使用する超低エミッションのバルブステムパッキン製品を販売している。
【０００４】
このような技術の利点を実現するためには、正しいタイプのパッキン材料が正しい順序でかつ正しい量で装着されなければならない。典型的には、ステムパッキン材料が大型のスプール上に設けられ、ポンド単位で売られる。したがって、消費者は、各タイプのパッキン材料が消費者の設備にどの程度必要かを決定するのを任される。スプールもまた保管するのが困難な場合があり、最終的に解け、その結果、パッキン材料が損傷したりパッキン材料が無駄なったりする可能性がある。また、多様なスタイルのパッキン材料を一緒に保管すると、どのタイプのパッキン材料を組み合わせて使用すべきかについて混乱を招く可能性がある。さらに、材料の量が必要とされる比率で調和しない場合、ある材料を別の材料の代わりに使う傾向があり、それによってステムパッキンシステムの性能が不十分になる可能性がある。
【発明の概要】
【発明が解決しようとする課題】
【０００５】
したがって、所与のステムパッキンシステムに正しい比率の材料を供給するステムパッキンディスペンサ（ｓｔｅｍ  ｐａｃｋｉｎｇ  ｄｉｓｐｅｎｓｅｒ）が必要である。さらに、そのようなステムパッキンディスペンサは、パッキンを損傷から保護するとともに、製品の持運び、保管、および再発注に便利な手段を提供することが望ましい。
【課題を解決するための手段】
【０００６】
ステムパッキンディスペンサなどのコード材料ディスペンサ（ｃｏｒｄ  ｍａｔｅｒｉａｌ  ｄｉｓｐｅｎｓｅｒ）が本明細書で開示される。このディスペンサは、周囲側壁を貫通して形成された第１および第２の開口を有する周囲側壁を含む容器と、容器内に配置された第１のコード材料と、容器内に配置された第２のコード材料とを備える。第１のコード材料は第１の開口を通して供給可能であり、第２のコード材料は第２の開口を通して供給可能である。第１のコード材料は第１のスプールに巻き付けられることが好ましく、第２のコード材料は第２のスプールに巻き付けられることが好ましい。
【０００７】
前記ディスペンサは、第１の量の第１のコード材料と第２の量の第２のコード材料とを含むことができ、第１の量は第２の量より少ない。例えば、第１の量は第２の量の４分の１とすることができる。容器は、第１の量と第２の量の比の指標であるしるしを含むことが好ましい。このしるしは、スプール巻き材料の使用目的を表すグラフィックの形をとることができる。
【０００８】
ディスペンサは少なくとも１つの隔壁を含むスプール支持挿入物を具備することができ、各隔壁は溝を含む。スプール心棒（ｓｐｏｏｌ  ａｘｌｅ）が第１および第２のスプールと溝とを貫通して延び、それによってスプールを容器内に支持する。
【０００９】
ディスペンサは、第１のコード材料の一端に取り付けられた第１の引きひもと第２のコード材料の一端に取り付けられた第２の引きひもとを含む。第１および第２の引きひもは、それぞれ第１および第２の開口を貫通して延びる。
【００１０】
容器と第１および第２のパッキンコード材料（ｐａｃｋｉｎｇ  ｃｏｒｄ  ｍａｔｅｒｉａｌｓ）とを備えるバルブステムパッキン・セットについても検討される。容器は、ベース部とベースから延びる周囲側壁と容器用の閉可能な蓋を形成するように周囲側壁から延びる複数のフラップとを含む。第１のパッキンコードは第１のスプールに巻き付けられ、第２のパッキンコードは第２のスプールに巻き付けられる。第１のパッキンコードは第１の開口を通して供給可能であり、第２のパッキンコードは第２の開口を通して供給可能である。バルブステムパッキン・セットはまた周囲側壁の外側に付着された小袋を具備することができ、小袋は複数のタグを収容する。
【００１１】
容器とスプール支持挿入物とスプール心棒とを備える、スプール巻き材料容器組立体も開示される。容器は、ベース部とベース部から延びる周囲側壁と周囲側壁から延びる複数のフラップとを備え、側壁は側壁を貫通して形成された複数の折れやすい目打ちのあるスターパターンを含む。スプール支持挿入物は容器内に配置されかつ複数の隔壁を含み、各隔壁は溝を含む。スプール心棒は挿入物の溝を貫通して延び、スプール心棒は複数のスプール巻き材料を支持するために構成される。容器は、容器に収容されるべきスプール巻き材料の指標であるしるしを含むことができる。
【図面の簡単な説明】
【００１２】
【図１】ステムパッキンディスペンサの例示的な一実施形態を示す斜視図である。
【図２】図１に示されているディスペンサの、蓋フラップを開けてディスペンサの内部を見せた状態の斜視図である。
【図３】ステムパッキン材料がない状態の図２と同様の斜視図である。
【図４】ディスペンサの容器の、明瞭にするために蓋フラップが示されていない状態の斜視図である。
【図５】スプール支持挿入物の斜視図である。
【図６】スプール心棒の斜視図である。
【図７】長いスプールの斜視図である。
【図８】短いスプールの斜視図である。
【図９】オプションのタグ保管場所を示すバルブステムパッキン・ディスペンサの斜視図である。
【発明を実施するための形態】
【００１３】
本発明は、スプール巻き材料のためのディスペンサに関し、詳細には、バルブステムパッキン材料を所定の比率による量で供給するためのディスペンサに関する。ここに開示されるディスペンサは、パッキンを損傷から保護するとともに、ステムパッキン材料の持運び、保管、および再発注に便利な手段も提供する。さらに、開示されるディスペンサは、再生された再利用可能なボール紙製品を用いて説明する。再生されたボール紙はディスペンサ「ＧＲＥＥＮ」を作るために望ましいが、ディスペンサは金属またはプラスチックで作ることができる。さらに、個々の構成要素は別の材料で作ることができる。例えば、図６のスプール心棒は、示されているようなボール紙の代わりにプラスチックで作ることができる。
【００１４】
図１に、バルブパッキンディスペンサ１０の例示的な一実施形態を示す。ディスペンサ１０は、パッキンコード材料ＡおよびＢを保護する容器２０を具備する。ディスペンサ１０は新しい材料ＡおよびＢが設けられたときに再利用されてもよく、あるいは、ディスペンサ１０は使い捨てされてもよいことに注目されたい。容器２０は、パッキンセットを運ぶための便利な手段を提供する取っ手３１および３３も含む。２つの取っ手３１および３３は段ボール箱構造の機能であり、ディスペンサ１０には１つ、２つ、または３つ以上の取っ手を設けることができる。図に示されているように、各パッキンコードＡおよびＢはそれぞれ開口２４および２６から引き出すことができる。
【００１５】
図２を参照すると分かるように、容器２０の内部には、スプール６０および７０とともにスプール支持挿入物４０が収容されている。パッキンコードタイプＡおよびＢはそれぞれのスプールに巻き付けられる。容器２０は、ベース（図示せず）から延びる周囲側壁２２を含む。側壁２２からは蓋フラップ２１、２３、２５および２７が延びている。図１を参照すると理解されうるように、これらのフラップは、容器２０を取り囲むために内方に折り重なる。図３を参照すると、タブ３０は、フラップ２５に形成された溝３８（図１参照）と係合するようなサイズおよび構成にされ、それによって蓋を閉鎖位置で固定するように機能することが分かる。フラップ２５および２７はそれぞれ、フラップ２５および２７を貫通して形成された溝３４および３６を含み、溝３４および３６は、フラップが閉じられたときに互いに位置合せされて開口を形成する。開口３４、３６は取っ手３１および３３を受け入れ、取っ手３１および３３はフラップ２１および２２と一体に形成される。
【００１６】
図３を参照すると、スプール６０および７０は長さが異なることが理解されうる。したがって、各スプールは、特定用途に必要とされるパッキンコードの量に比例してパッキンコードを担持するための容積を有する。この場合、パッキンコードは、容器２０の前面にグラフィックＣで示されているように、４対１の割合で使用される。したがって、詰められるべき各バルブステムは、タイプＡ材料のリング１つに対してタイプＢ材料のリングを４つ使用する。その結果、ディスペンサ１０は、このシステムを使用する各バルブが正確な量の各タイプのパッキンコードで確実に詰められるようにする便利な手段を提供する。別の体積測定の構成が様々な組合せで可能である。また、ディスペンサ１０は単一材料Ａを供給するように構成することもでき、その場合、例えば、部分２６は除去することができ、スプール支持挿入物は単一スプール用に構成することができる。
【００１７】
各スプールは、任意選択で、パッキンコードをさらに保護するためにプラスチックで包まれることに留意されたい（図２参照）。蓋が開放される必要なしにパッキンコードを開口２４および２６から最初に引き出すのを容易にするために、材料ＡおよびＢの自由端に引きひも１２および１４が取り付けられてもよい。
【００１８】
図４に示されているように、開口２４および２６は、最初に側壁２２内に、折れやすい目打ちのあるスターパターンとして形成される。バルブステムパッキン・セットを組み込む間、引きひも１２および１４は、容器２０の内側から開口２４および２６を貫通して押されてもよい。あるいは、コード材料は、目打ちを貫通して押されてもよい。目打ちは、この場合は多角形の形をとるクロスパターンとして示されているが、単一フラップ、パンチアウト、他の様々な目打ちパターンなどの他の目打ち構成が好適となりうる。図４には、目打ちのあるフラップ２８および２８’の形をとるオプションの握りも示されている。
【００１９】
スプール支持挿入物４０の構造は、おそらく図５に最も良く示されている。この場合、挿入物４０は、隔壁４２、４４および４６を形成するように折り重ねられた１枚の段ボールまたはボール紙で構成される。各隔壁はその隔壁を貫通して形成された溝を含み、この溝は心棒６２（図６参照）上のスプール６０および７０を支持する。挿入物４０は、隔壁４２、４４および４６が周囲側壁２２内に密着した関係ではまるように、容器２０のベースと合致するようなサイズおよび構成にされる。例示的な実施形態は２つのスプールを示しているが、３つ以上のスプールまたは単一のスプールが、所与のシステム構成のために供給されるべき様々な製品の数に応じて適切に使用されうることが理解されるべきである。さらに、隔壁４２、４４および４６は単一のボール紙片として示されているが、各隔壁４２、４４および４６は別個のボール紙片でもよいことが理解されるべきである。さらに、いくつかの実施形態では、隔壁は折り重ねられていないボール紙片で構成されてもよい。例えば、ある特定の実施形態ではフラップ４７および４９が除去されてもよい。
【００２０】
図６に、スプール支持挿入物４０内にスプールを支持するために使用されうる心棒６２を示す。心棒６２は、ボール紙で形成されてもよく、あるいは管状プラスチック材料で形成されてもよい。木製だぼ材料または金属などの他の適切な材料が心棒に使用されてもよい。さらに、心棒６２は、図示のように中空でもよく、あるいは中身が詰まっていてもよい。
【００２１】
容器２０、挿入物４０、ならびにスプール６０および７０はすべて、ボール紙および他の紙製品から形成されたものとして図に示されているが、他の材料も好適となりうることが理解されるべきである。例えば、用途によってはプラスチック材料、木質繊維板、金属などが好ましい場合もある。ディスペンサの構造に使用される材料は再利用可能であることが好ましい。
【００２２】
図７に代表的な大型スプール６０を示し、大型スプール６０はマンドレル６５を備え、マンドレル６５の両端部分にはフランジ６４および６４’が配置される。マンドレル６５は、カラー６６を形成するようにフランジ６４および６４’から突出することが好ましい。マンドレル６５は、心棒６２を受け入れるようなサイズにされた開口６３で中空であることが理解されるべきである。あるいは、マンドレル６５は心棒６２として動作することもできる。図８に示されているように、小型スプール７０は大型スプール６０と同様の構造を有しているが、マンドレルの長さは短くなっている。また、スプール６０および７０は、２つの別個のスプールとして示されているが、単一スプールに一体化されてもよい。この場合、例えば、マンドレル６５には想像線で示されている中間フランジ６４”を設けることができる。
【００２３】
図示し上述したように、スプール６０および７０は、パッキン材料がディスペンサ１０から供給されるにつれて回転する。しかし、スプールの回転は任意選択である。
【００２４】
図９に示されているように、バルブステムパッキン・セット内にタグ１６を具備することができる。これらのタグは、設備内のどのバルブが新しいステムパッキン材料で更新されているのかを示すために、あるいはバルブパッキンの交換に関する追跡手順が実行される必要があるという合図として、使用することができる。タグ１６は、容器２０の側面に付着された透明な袋または小袋の中に入れられてもよく、あるいは容器２０の内部に保管されてもよい。容器２０の内側に保管される場合、タグはフラップ３５からアクセスすることができる。フラップ３５は、開口２４および２６に関して上述したような目打ちを有する側壁２２を貫通して形成することができる。フラップ３５は、タップ１６上に書き込むことを可能にするなど、作業面を提供するために補強および／または延長されてもよい。
【００２５】
したがって、本発明は、例示的な実施形態を対象とするある程度の特殊性を伴って説明してきた。本発明は従来技術に照らして解釈される以下の特許請求の範囲によって規定されるが、変更または修正が本明細書内に含まれる発明概念から逸脱することなく例示的な実施形態に対してなされうることが理解されるべきである。
【図１】
2012524001.tif 000003
【図２】
2012524001.tif 000004
【図３】
2012524001.tif 000005
【図４】
2012524001.tif 000006
【図５】
2012524001.tif 000007
【図６】
2012524001.tif 000008
【図７】
2012524001.tif 000009
【図８】
2012524001.tif 000010
【図９】
2012524001.tif 000011
【国際調査報告】
2012524001.tif 000012
2012524001.tif 000013